(57)【要約】【課題】洗濯時のドラム回転速度を適切に制御し、洗濯機の洗浄能力を向上させること。【解決手段】水槽３に振動検出手段６を取り付け、振動を検出する。周波数成分計算手段９は、その振動から、ドラム１の回転速度に対応する周波数成分を抽出する。また、衣類状態を正確に把握して、最適な処理方法で回転数を決定する。これにより、洗濯物の張り付きなどを防ぎ洗浄能力を向上することができる。【選択図】図１
2010194213.tif 000002
【特許請求の範囲】
【請求項１】
洗濯物を収容して回転するドラムと、前記ドラムを収容しかつ筐体から弾性支持機構により支持された水槽と、前記ドラムを回転させるモータと、収容された洗濯物を引っ掛け持ち上げる攪拌突起と、前記水槽の振動を検出する振動検出手段と、洗浄、すすぎ、脱水、乾燥などの一連の工程を制御する制御手段と、前記振動検出手段で検出した振動に対して周波数成分を計算する周波数成分計算手段とを備え、前記制御手段は、前記モータの回転速度を変化させる回転速度制御手段を有し、複数の回転数における周波数成分の比較を行うことにより、洗濯時に最適な回転数を判定することを特徴とする洗濯機。
【請求項２】
振動検出手段は、少なくともひとつ以上の加速度センサから構成され、水槽の上下、左右、前後の方向の少なくともひとつの振動成分を検出し、検出した方向毎の加速度、もしくは検出した方向毎の加速度の和または積を出力することを特徴とする請求項１記載の洗濯機。
【請求項３】
周波数成分計算手段は、所定のドラムの回転速度に対応する周波数における振動の周波数成分を計算し、回転速度制御手段は、前記周波数成分の計算に基づいて回転速度を変化させることを特徴とする請求項１または２記載の洗濯機。
【請求項４】
周波数成分計算手段は、所定のドラムの回転速度に対応する周波数における振動の周波数成分を計算し、制御手段は、所定回転数と比較回転数における周波数成分の比較を行うことを特徴とする請求項３記載の洗濯機。
【請求項５】
周波数成分計算手段は、所定のドラムの回転速度に対応する周波数における振動の周波数成分を計算し、制御手段は、回転速度を変化させる前後の回転数における周波数成分の比較を行うことを特徴とする請求項３記載の洗濯機。
【請求項６】
請求項１〜５に記載の洗濯機の少なくとも一部をコンピュータに実現させるためのプログラム。
【発明の詳細な説明】
【技術分野】
【０００１】
本発明は、洗い、すすぎ、脱水を逐次実行する洗濯機に関するものである。
【背景技術】
【０００２】
従来、このような洗濯機はドラムの水槽に加速度センサを取り付け加速度センサ出力の変化量と、モータのトルク電流成分の変化量から、衣類の挙動を推定して、ドラムを回転させるモータの回転数を変化させる制御手段を備えている（例えば、特許文献１参照）。
【０００３】
図１０は、前記公報に記載された従来のドラム式洗濯機の構成を示すものである。筐体１内にサスペンション構造によって支持された水槽２内に、回転ドラム３が配設され、回転ドラム３はモータ４によって回転駆動され、開閉自在に設けられた扉５を開くことにより水槽２の正面開口部および回転ドラム３の正面開口部を通して洗濯物を回転ドラム４内から出し入れできるように構成されている。水槽２には半導体加速度センサ６が取付けられ、この半導体加速度センサの出力の変化量と、モータのトルク電流成分の変化量から、衣類の挙動を推定して、前記洗濯機モータによる洗浄運転を制御する制御手段７が設けられている。
【特許文献１】特開２００６−３４６２７０号公報
【発明の開示】
【発明が解決しようとする課題】
【０００４】
しかしながら前記従来の手段では洗濯物に化繊系が多い、水が多い、洗剤による泡立ちが多いなどの要因により、洗濯物が水に浮き攪拌突起に引っ掛けられず、洗濯物に叩き洗いの作用を加えられない状態が存在する。単純な加速度出力値の変化量では、洗濯物が水に浮いた状態なのか、洗濯物が小容量の状態であるのかを把握できない。モータのトルク成分を示す電流値についても同様であり、洗濯物が浮いた状態とトルクには相関は見られないことがある。
【０００５】
本発明の目的は、洗濯物が水槽内に張り付いているかどうかを判断し、最適な洗濯を実現する洗濯機を提供することを目的としている。
【課題を解決するための手段】
【０００６】
前記従来の課題を解決するために、本発明では、振動検出手段で検出した振動に対して周波数成分を計算する周波数成分計算手段を備え、前記制御手段は、前記モータの回転速度を変化させる回転速度制御手段を有し、複数の回転数における周波数成分の比較を行うことにより、洗濯時に最適な回転数を判定するものである。
【０００７】
周波数成分の大小に応じて前記モータの回転速度を変化させる回転速度制御手段を備え、前記周波数成分の計算により算出した値の大小に応じて前記モータの回転速度および回転時間を変化させるようにしたものである。
【０００８】
水槽の振動から、特定の周波数の振動成分を抽出することにより、衣類の挙動を判定する。具体的には、振動検出手段で得た振動から、周波数成分計算手段により、ドラムの回転速度に搭載している攪拌突起の個数をかけたものに対応する周波数成分を抽出する。この成分は、ドラムに備え付けられた攪拌突起が、給水された水を叩く成分に起因する。この周波数成分の計算結果により回転速度を変化させる。
【０００９】
本発明は、上記の計算方法により最適な叩き洗い洗濯をすることができ、かつ洗濯時間
の短縮と洗浄性能を高めることができる。
【発明の効果】
【００１０】
本発明の洗濯機は、振動検出手段から得られた出力を効率よく処理し、最適な回転制御を行うことにより、洗濯時間の短縮と洗浄性能を高めることを目的とする。
【発明を実施するための最良の形態】
【００１１】
第１の発明は、洗濯物を収容して回転するドラムと、前記ドラムを収容しかつ筐体から弾性支持機構により支持された水槽と、前記ドラムを回転させるモータと、収容された洗濯物を引っ掛け持ち上げる攪拌突起と、前記水槽の振動を検出する振動検出手段と、洗浄、すすぎ、脱水、乾燥などの一連の工程を制御する制御手段と、前記振動検出手段で検出した振動に対して周波数成分を計算する周波数成分計算手段とを備え、前記制御手段は、前記モータの回転速度を変化させる回転速度制御手段を有し、複数の回転数における周波数成分の比較を行うことにより、洗濯時に最適な回転数を判定することを特徴とする洗濯機である。この構成により、洗濯物やドラムの振動状態を精度よく把握して、適切にモータの回転速度や回転時間を変化させることができ、洗濯時に最適な叩き洗いを実現するための回転数を判定することができる。
【００１２】
第２の発明は、特に、第１の発明において、振動検出手段は、少なくともひとつ以上の加速度センサから構成され、水槽の上下、左右、前後の方向の少なくともひとつの振動成分を検出し、検出した方向毎の加速度、もしくは検出した方向毎の加速度の和または積を出力する。これにより、多軸の加速度センサを振動の検出に用いた場合、それぞれの方向の加速度情報だけでなく、方向毎の和と積を利用できる。水槽の振動は必ずしも一方向だけではないため、方向毎の加速度情報の和と積を利用することにより、より精度よく水槽の振動を把握できる。
【００１３】
第３の発明は、特に、第１の発明または第２の発明において、周波数成分計算手段は、所定のドラムの回転速度に対応する周波数における振動の周波数成分を計算し、回転速度制御手段は、前記周波数成分の計算に基づいて回転速度を変化させる。これにより、衣類の状態を精度よく判断することができ、洗濯時に最適な叩き洗い時の回転数を算出することができる。
【００１４】
第４の発明は、特に、第３の発明において、周波数成分計算手段は、所定のドラムの回転速度に対応する周波数における振動の周波数成分を計算し、制御手段は、所定回転数と比較回転数における周波数成分の比較を行うことを特徴とする。これにより、ある回転数どうしを比較して、衣類の状態を計算値で算出するので、最適な叩き洗い状態の回転数を容易に判断できる。
【００１５】
第５の発明は、特に、第３の発明において、周波数成分計算手段は、所定のドラムの回転速度に対応する周波数における振動の周波数成分を計算し、制御手段は、回転速度を変化させる前後の回転数における周波数成分の比較を行うことを特徴とする。これにより、前後の回転数どうしを比較して、衣類の状態を計算値で算出するので、最適な叩き洗い状態の回転数を容易に判断できる。
【００１６】
第６の発明は、特に、第１〜５の発明において、洗濯機の機能の少なくとも一部をコンピュータに実現させるためのプログラムである。プログラムであるので、電気・情報機器、コンピュータ等のハードリソースを協働させて用いることにより、本発明の機能の一部あるいは全部を容易に実現することができる。また、記録媒体に記録したり通信回線を用いてプログラムを配信したりすることでプログラムの配布やインストール作業が簡単にできる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における洗濯機の構成図である。図中に記載した本発明の主要な構成を順に説明する。
【００１９】
図１において衣類などの洗濯物を収容し回転する洗濯槽としての回転ドラム３は、モータ４と結合しており、回転して洗濯物を洗浄する。回転ドラム３を回転させるためのモータ４はブラシレスモータ等で構成し、回転速度は可変であり、洗濯工程では正転・反転を繰り返す。ドラム１と水を収容する水槽３は、図１に示すように、ばね８ａやダンパー８ｂなどの弾性支持機構８を介して筐体１に固定する。
【００２０】
水槽２の振動を検出する振動検出手段となる半導体加速度センサ６は、本実施の形態では、例としてドラムの正面に対して左右方向の振動（加速度）を検出するものとする。なお、加速度センサとしては、半導体加速度センサ、圧電型加速度センサなどのいずれでも良く、さらに多軸（２軸もしくは３軸）方向の加速度センサでも良い。実際の水槽の振動は、必ずしも一方向に限定できないので、３軸の加速度センサを用いて、３軸の加速度成分を加算して合計したもの、もしくは積算して利用するのが良い。
【００２１】
振動検出手段６で検出した振動（加速度）から、フーリエ変換処理を行い、モータの回転速度に対応する周波数成分を抽出する周波数成分計算手段９は、具体的にはマイコンで構成されており、振動検出手段６で得た信号から離散フーリエ変換（ＤＦＴ）もしくは高速フーリエ変換（ＦＦＴ）を行い、周波数成分の大きさを計算する。なお、ドラムの回転速度は、回転速度制御手段１０から、回転時間は回転時間制御手段１１から取得する。制御手段は、複数の回転数を周波数成分計算手段９で計算した振動の周波数成分を基に比較を行い、これらの大小により回転速度制御手段１０により、モータ４の速度を変更する。
【００２２】
以上のように構成された洗濯機について、以下、その動作・作用を、図２〜図４を用いて説明する。
【００２３】
図２は、本発明の第１の実施形態における洗濯機の制御装置の構成図である。本洗濯機は、洗濯、すすぎ、脱水、乾燥に渡る一連の動作を指示入力と各部の動作状態の監視に基づいて制御する制御装置が設けられている。前記の制御装置は、交流電力３１を整流器３２により整流し、チョークコイル３３及び平滑コンデンサ３４からなる平滑回路により平滑化された直流電力を駆動電力として、インバータ回路２６によりドラム駆動モータ４を回転駆動すると共に、入力設定手段２１から入力される運転指示及び各検知手段により検知される運転状態の監視情報に基づいてドラム駆動モータ５の回転を制御し、負荷駆動手段３９により給水弁１４、排水弁１３を制御する。
【００２４】
ドラム駆動モータ４は、３相巻線５ａ、５ｂ、５ｃを有するステータと、８極の永久磁石を有するロータとを備え、３つの位置検出素子２４ａ、２４ｂ、２４ｃを設けた直流ブラシレスモータとして構成され、スイッチング素子２６ａ〜２６ｆにより構成されたＰＷＭ制御インバータ回路２６により回転制御される。
【００２５】
位置検出素子２４ａ、２４ｂ、２４ｃが検出するロータ位置検出信号は制御手段７に入力され、このロータ位置検出信号に基づいて駆動回路２５によりスイッチング素子２６ａ〜２６ｆのオンオフ状態をＰＷＭ制御することにより、ステータの３相巻線５ａ、５ｂ、５ｃに対する通電を制御してロータを所要回転速度で回転される。
【００２６】
なお、制御手段７は、３つの位置検出手段２４ａ、２４ｂ、２４ｃのいずれかの信号の状態が変わるたびにその周期を検出し、その周期によりロータの回転速度を算出するようになっている。また、図１および図２に示すように、水槽２の前上部に半導体加速度センサ（振動検出手段）６が取り付けられ、水槽の振動により加速度を検出して、それを信号処理して周波数スペクトラムを算出した後に、それらを比較してその大小を決め、さらに前後の回転数を比較して、その大小で次の回転数を決定する。
【００２７】
なお、半導体加速度センサ６は３方向の検出軸を持っており、水槽２の振動を３次元からなるモーションを捉えることができる。したがって、どの軸でも同じ処理方法でも判定結果には影響はない。
【００２８】
本洗濯機の振動検出手段６で得たドラムの振動データに対して周波数分析を行った結果を図３に示す。横軸は周波数［Ｈｚ］であり、縦軸はフーリエ振幅スペクトラムである。ドラム回転速度に対応する周波数は、回転数をＮｒｐｍした場合、Ｎ／６０Ｈｚとし、ドラム回転速度に搭載した攪拌突起１２の個数（この実施の形態では３個）をかけた周波数となる。図３の（ａ）は３７ｒｐｍ時の周波数成分である。前記の計算式に当てはまると周波数は１．８５Ｈｚとなる。同様に図３の（ｂ）で４５ｒｐｍは２．２５Ｈｚ、図３の（ｃ）で５３ｒｐｍは２．６５Ｈｚとなる。なお、水のみの場合は攪拌突起１２の個数で決まるが、衣類の状態や重量によって、必ずしも同じ周波数成分に出力すると限らない。しかしながら、衣類の状態により十分考えられる状況なので、攪拌突起１２の個数で周波数領域を計算している。
【００２９】
次に、図４を用いて回転数判定のフローについて説明する。
【００３０】
まず、ステップ１００にて洗濯工程が始まると、ステップ１０１にて給水が始まる、そのあと所定の水位に達しているかどうかをステップ１０２で見て、達していればステップ１０３で洗濯の攪拌が始まる。もし、達していなかった場合もう一回所定の水位になるまでこの動作を行う。
【００３１】
次に、ステップ１０４にてドラム４が所定回転数で回転するようモータ４に指示を与える。このときの所定回転数を４５ｒｐｍとする。ステップ１０５でタンブル回数４回を回転した時点で各タンブルの全周波数成分のスペクトラムの合計を計算し、４回の総和を値として出力する。なお、所定回転数およびタンブル回数は他のものでも同様な結果が得られる。すなわち、ここでは４回の総和としているが、それより数回増減した総和でもよい。
【００３２】
次にステップ１０６にて、ドラム４が比較回転数で回転するようモータ４に指示を与える。このときの比較回転数を４９ｒｐｍとする。ステップ１０７でステップ１０５と同様な作業を行い、４回の総和を値として出力したあと、ステップ１０８にて２つの値を係数を掛けて比較を行う、このとき比較係数としては５％とする。なお、比較係数は１５％以内であれば同様な結果が得られる。ステップ１０８にて比較した結果、比較回転数（４９ｒｐｍ）の総和の値が大きかった場合、ステップ１１０にて回転数比較を行う。このとき比較を行うのは、４５ｒｐｍと４９ｒｐｍである。
【００３３】
回転数比較を行ったあと、比較回転数（４９ｒｐｍ）の方が大きかった場合は、ステップ１１１にて４９ｒｐｍから回転数を上げる。もし、比較回転数が小さかった場合は、ステップ１１２にて比較回転数から回転数を下げる。次にステップ１０７と同様のタンブル作業を行い総和の値と回転数を随時更新して上記と同様の比較を行う。
【００３４】
ステップ１０８にて、２つの回転数の総和の値を比較した結果、比較回転数（４９ｒｐｍ）の総和の値が小さくて、ステップ１０９にて５％以内に入っていない場合は、ステップ１１６にて回転数比較を行う。もし比較回転数が大きかった場合は、ステップ１１３から回転数を下げる。もし、比較回転数が小さかった場合は、比較回転数から回転数を上げる。次にステップ１０７と同様な作業を行い総和の値と回転数を随時更新して上記と同様の比較を行う。
【００３５】
ステップ１０９にて５％以内に入っている場合、ステップ１１５にて比較回転数を維持してステップ１０７の動作を行う。このときは４９ｒｐｍを維持して次のループを実行する。これらのループを実行するとき、常に新しいものを随時更新し以前のものを消去することによりマイコンの計算容量を確保している。
【００３６】
（実施の形態２）
図５は本発明の第２の実施の形態における回転数判定フローである。図にしたがって説明する。実施の形態１と同様のところは省略する。
【００３７】
まず、ステップ１００にて洗濯工程が始まると、ステップ１０１にて給水が始まる、そのあと所定の水位に達しているかどうかをステップ１０２で見て、達していればステップ１０３で洗濯の攪拌が始まる。もし、達していなかった場合もう一回所定の水位になるまでこの動作を行う。
【００３８】
次に、ステップ１０４にて所定回転数をモータ４に指示を与える。このときの所定回転数を４５ｒｐｍとする。ステップ１０５でタンブル回数４回を回転した時点で各タンブルの全周波数成分のスペクトラムの合計を計算し、４回の総和を値として出力する。なお、所定回転数およびタンブル回数は他のものでも同様な結果が得られる。
【００３９】
次にステップ１０６にて、比較回転数をモータ４に指示を与える。このときの比較回転数を４９ｒｐｍとする。ステップ１０７でステップ１０５と同様な作業を行い、４回の総和を値として出力したあと、ステップ１０８にて２つの値を係数を掛けて比較を行う、このとき比較係数としては５％とする。なお、比較係数は１５％以内であれば同様な結果が得られる。
【００４０】
ステップ１０８にて比較した結果、比較回転数（４９ｒｐｍ）の総和の値が大きかった場合、次に回転数を比較して、もしステップ１１７にて同回転数になった場合、ステップ１１９にて以前の回転数の状態を検知する。もし、上昇して総和の値が大きくなった場合、ステップ１１１にて比較回転数から回転数を上げる。もし、下降して総和の値が大きくなった場合、ステップ１１２にて比較回転数から回転数を下げる。
【００４１】
ステップ１０８にて、２つの回転数の総和の値を比較した結果、比較回転数の総和の値が小さく、ステップ１０９にて５％以内に入っていない場合、次に回転数を比較して、もしステップ１１８にて同回転数になった場合、ステップ１２０にて以前の回転数の状態を検知する。もし、上昇して総和の値が小さくなった場合、ステップ１１３にて比較回転すうから回転数を下げる。もし、下降して総和の値が小さくなった場合、ステップ１１４にて比較回転数から回転数上げる。
【００４２】
次にステップ１０７と同様な作業を行い総和の値と回転数を随時更新して上記と同様の比較を行う。ステップ１０９にて５％以内に入っている場合、ステップ１１５にて比較回転数を維持してステップ１０７の動作を行う。
【００４３】
（実施の形態３）
図６は第３の実施の形態における回転数判定フローチャートであり、図７は第３の実施の形態における回転数判定構成図である。図にしたがって説明する。実施の形態１ならびに実施の形態２と同様のところは省略する。
【００４４】
まず、ステップ１００にて洗濯工程が始まると、ステップ１０１にて給水が始まる、そのあと所定の水位に達しているかどうかをステップ１０２で見て、達していればステップ１０３で洗濯の攪拌が始まる。もし、達していなかった場合もう一回所定の水位になるまでこの動作を行う。次にステップ２００で初期回転数を設定して回転を行う、このとき４５ｒｐｍに設定したあと、ステップ２０６にて加速度を検出して周波数分析を行ったあと、ステップ２０１にて比較回転数を設定する。このときの比較回転数は３７ｒｐｍとする。同様にステップ２０６にて加速度検出して周波数分析を行う。なお、初期回転数と比較回転数は他の回転数にしても同様な効果が得られる。
【００４５】
次にステップ２００初期回転数とステップ２０１比較回転数で回転して得られた周波数領域をすべての和もしくは積をして振動値を算出、ステップ２０２にてこれを比較する。もし比較回転数の振動値が大きかった場合、ステップ２０３にて重心を計算して左側と右側のモーメントを比較し、小さかった場合は比較する回転数のままでよい。
【００４６】
ここで、重心について説明する。図７では所定の衣類重量で計測した回転数３７ｒｐｍ、４５ｒｐｍ、５３ｒｐｍ時のスペクトラムである。横軸周波数［Ｈｚ］で縦軸は振動のスペクトラムである。なお、縦軸は桁の関係上倍率をあげている。それぞれの回転数の対応した重心を計算すると図７のようになる。今回重心について計算したが、計算方法についてはいろいろあり、ここで一例について説明する。まず、周波数成分計算手段で得られた周波数領域をある所定の個数に分割して格納する。その個数に対応したスペクトラム値を算出してその個数との積を求めたあと、その総和とする。これをスペクトラム値の総和で割ると重心が求まる。これを基準に左右のモーメントを求めてその比較を行う。
【００４７】
上記の計算方法で左右のモーメントを求めたあと、ステップ２０３で左右のモーメントを比較、もし左側の方が大きかった場合、低周波側で回転しているため、衣類状態は張り付いたままである。このときはステップ２０４にて回転数を下げる。もし左側が小さかった場合は、高周波側で回転しているため、衣類の状態はドラムの下部にてゴロゴロとした状態である。このときはステップ２０５にて回転数を上げる。今度は判定した回転の振動値がＮｅｗのデータとなり、ステップ２０１にて設定した回転の振動値がＢａｓｅのデータとなる。
【００４８】
（実施の形態４）
図８と図９は第４の実施の形態における回転数判定フローである。図にしたがって説明する。実施の形態１〜３と同様のところは省略する。
【００４９】
まず、ステップ１００にて洗濯工程が始まると、ステップ１０１にて給水が始まる、そのあと所定の水位に達しているかどうかをステップ１０２で見て、達していればステップ１０３で洗濯の攪拌が始まる。もし、達していなかった場合もう一回所定の水位になるまでこの動作を行う。
【００５０】
次に、ステップ２０７にて複数の回転数、ここでは３７ｒｐｍ、４１ｒｐｍ、４５ｒｐｍ、４９ｒｐｍ、５３ｒｐｍを順番に回転させ、ステップ２０８で回転毎に周波数成分を計算し、ステップ２０９でその大小を判定し、最適な回転数を判定する。最適な回転数が判定された場合、ステップ２１０にてその回転数でモータを駆動し、ステップ２１１にて次の工程を実施する。もし、周波数分析でその大小の差分がなかった場合、ステップ２１２にて予め設定しておいた所定回転数（現行回転数）に設定してステップ２１１にて次の
工程を実施する。
【００５１】
なお、今回５種類の回転数でその大小を実施したが、３０ｒｐｍ〜６０ｒｐｍまでの回転数で比較しても結果に影響はない。
【００５２】
また、図９を参考にしながら説明する。ステップ１００にて洗濯工程が始まると、ステップ１０１にて給水が始まる、そのあと所定の水位に達しているかどうかをステップ１０２で見て、達していればステップ１０３で洗濯の攪拌が始まる。もし、達していなかった場合もう一回所定の水位になるまでこの動作を行う。
【００５３】
次に、ステップ２０７にて判定する複数の回転数、ここでは３７ｒｐｍ、４１ｒｐｍ、４５ｒｐｍ、４９ｒｐｍ、５３ｒｐｍを順番に回転させ、ステップ２０８で回転毎に周波数成分を計算し、その大小を比較したあと、ステップ２１２にて最適な回転数で工程を実施する。ここで最新のデータをＮｅｗデータとし、その直前のデータをＢａｓｅデータとする。
【００５４】
ステップ２１３にてＮｅｗデータとＢａｓｅデータを比較し、ＮｅｗデータがＢａｓｅデータより大きかった場合、ステップ２１４にてＮｅｗデータの回転数で次の工程を実施、もしＮｅｗデータがＢａｓｅデータより小さかった場合、ステップ２１５にてＢａｓｅデータの回転数で次の工程を実施する。これを繰り返し行うことにより、常に周波数成分の計算値が高いところ狙って洗浄することができるため、最適な回転数で衣類を洗うことができる。
【００５５】
なお、図４と図５に記載した「所定回転数」と図６に記載した「初期回転数」とは同様の意味を示す。
【産業上の利用可能性】
【００５６】
以上のように、本発明にかかる洗濯機、ドラム回転速度制御方法およびプログラムは、水槽振動の周波数成分からドラムの回転速度と回転時間を制御することができ、これにより洗濯物の張り付き状態やゴロゴロ状態を防ぐことができ、洗濯機の洗浄能力を向上させることができる。これは、家庭用の洗濯機だけでなく、洗濯乾燥機や業務用の洗濯機などに広く適用できる。
【図面の簡単な説明】
【００５７】
【図１】本発明の実施の形態１の洗濯機の構成図
【図２】同洗濯機の実施の形態１における制御装置の構成図
【図３】（ａ）同洗濯機の実施の形態１におけるドラムの回転数が３７ｒｐｍのときの周波数特性を示すグラフ（ｂ）同洗濯機の実施の形態１におけるドラムの回転数が４５ｒｐｍのときの周波数特性を示すグラフ（ｃ）同洗濯機の実施の形態１におけるドラムの回転数が５３ｒｐｍのときの周波数特性を示すグラフ
【図４】同洗濯機の実施の形態１における回転数判定フローチャート
【図５】同洗濯機の実施の形態２における回転数判定フローチャート
【図６】同洗濯機の実施の形態３における回転数判定フローチャート
【図７】（ａ）同洗濯機の実施の形態３におけるドラムの回転数が３７ｒｐｍのときの重心による判定構成図（ｂ）同洗濯機の実施の形態３におけるドラムの回転数が４５ｒｐｍのときの重心による判定構成図（ｃ）同洗濯機の実施の形態３におけるドラムの回転数が５３ｒｐｍのときの重心による判定構成図
【図８】同洗濯機の実施の形態４における回転数判定フローチャート
【図９】同洗濯機の実施の形態４における回転数判定フローチャート
【図１０】従来の洗濯機の構成を示す図
【符号の説明】
【００５８】
１  筐体
２  水槽
３  回転ドラム
４  モータ（駆動手段）
５  扉
６  半導体加速度センサ（振動検出手段）
７  制御手段
８ａ  ばね（弾性支持機構）
８ｂ  ダンパー（弾性支持機構）
９  周波数成分計算手段
１０  回転速度制御手段
１１  回転時間制御手段
１２  攪拌突起
【図１】
2010194213.tif 000003
【図２】
2010194213.tif 000004
【図３】
2010194213.tif 000005
【図４】
2010194213.tif 000006
【図５】
2010194213.tif 000007
【図６】
2010194213.tif 000008
【図７】
2010194213.tif 000009
【図８】
2010194213.tif 000010
【図９】
2010194213.tif 000011
【図１０】
2010194213.tif 000012